(57)【要約】【課題】受信メール自体が削除された場合でも、添付されていたファイルに対応するメール情報を読み出すことができるようにする。【解決手段】本発明の情報端末は、メールに添付された画像ファイルを抽出する画像ファイル抽出手段と、前記画像ファイルに前記画像ファイルが添付されていたメールに関するメール情報を記録するメール情報記録手段と、前記メール情報が記録された前記画像ファイルを保存する画像ファイル保存手段と、前記画像ファイル保存手段に保存された前記画像ファイルを表示する場合に前記メール情報も併せて表示する表示手段と、を備える。【選択図】図２
2012194728.tif 000002
【特許請求の範囲】
【請求項１】
メールに添付された画像ファイルを抽出する画像ファイル抽出手段と、
前記画像ファイルに前記画像ファイルが添付されていたメールに関するメール情報を記録するメール情報記録手段と、
前記メール情報が記録された前記画像ファイルを保存する画像ファイル保存手段と、
前記画像ファイル保存手段に保存された前記画像ファイルを表示する場合に前記メール情報も併せて表示する表示手段と、
を備えた情報端末。
【請求項２】
前記画像ファイルを送信する送信手段と、
前記メール情報を前記画像ファイルから削除するメール情報削除手段と、を備え、
前記メール情報削除手段は、前記画像ファイルを前記情報端末から送信する際に、前記メール情報を前記画像ファイルから削除する請求項１記載の情報端末。
【請求項３】
検索キーワードにより検索を行うキーワード検索手段を備え、
前記キーワード検索手段は、前記画像ファイルに記録された前記メール情報に対して検索を行う請求項１または請求項２に記載の情報端末。
【発明の詳細な説明】
【技術分野】
【０００１】
本発明は、パソコンや携帯端末等の情報端末に係り、特に受信メールに添付されたファイルの管理機能を備えた情報端末に関する。
【背景技術】
【０００２】
パソコンや携帯端末等の情報端末では、電子メールを受信する際に、受信メール本文のみでなく、画像ファイル、音楽ファイル、ドキュメントファイル等を電子メールの添付ファイルとして受信することができる。また、当該ファイルに対応したアプリケーションを使用することで、その内容を確認することができ、情報端末内にファイルとして保存することが可能である。
【０００３】
しかしながら、従来の情報端末では、受信メールに添付されたファイルを任意のフォルダに保存した場合、その添付ファイルは受信メールと切り離されて管理されるため、ファイル起動時にどの受信メールに添付されていたものかを判別することができず、後から添付ファイルを見返した際、誰から送付されたものか、どんなメッセージと共に送られてきたのかは再度メール本文を探す必要があり、非常に手間となる。
【０００４】
そこで、特許文献１では、受信メールに添付されたファイルと、受信メールとを関連付けした管理テーブルを作成して管理することで、添付ファイル起動時、対応する受信メールを読み出し、添付ファイルと同時にメール情報を表示することを可能としている。
【０００５】
また、特許文献２では、電子メールへの添付が可能な画像ファイルに関して、携帯端末で撮影した画像と、その画像に関する情報を音声情報としてサーバに通知し、サーバ側で音声情報をテキストデータに変換し、画像に情報として付加することで、画像ファイルのみでなく、撮影した際の状況なども合わせて確認することを可能としている。
【先行技術文献】
【特許文献】
【０００６】
【特許文献１】特開２００３−０９１４８４号公報
【特許文献２】特開２００４−２９７５７６号公報
【発明の概要】
【発明が解決しようとする課題】
【０００７】
しかしながら、特許文献１に記載された方法では、添付ファイルに受信メールを対応付けて管理するため、受信メールＢＯＸが最大容量を超過してしまうと、受信メール自体が削除される可能性があり、その場合に、添付ファイルに対応するメール情報を読み出すことができなくなってしまうという課題がある。さらに、受信メール件数が多い場合には、何千件というメールファイルから、所望のファイルを検索する必要があり、メール情報の読み出し自体に処理時間を要するという課題があった。
【０００８】
また、特許文献２に記載された方法では、画像ファイルに関連付けした音声情報のテキストデータが必要であり、検索に時間を要するという課題があった。
【課題を解決するための手段】
【０００９】
本発明の情報端末は、メールに添付された画像ファイルを抽出する画像ファイル抽出手段と、前記画像ファイルに前記画像ファイルが添付されていたメールに関するメール情報を記録するメール情報記録手段と、前記メール情報が記録された前記画像ファイルを保存する画像ファイル保存手段と、前記画像ファイル保存手段に保存された前記画像ファイルを表示する場合に前記メール情報も併せて表示する表示手段と、を備えるものである。
【発明の効果】
【００１０】
本発明の情報端末によれば、メール情報が画像ファイルに保存されているので、画像ファイルが添付されていたメール自体が削除された場合にもメール情報（メール送信者、メール受信日時、メール本文、メモ内容）を表示することが可能になる。
【００１１】
また、情報端末に保存されたメール情報付き画像ファイルに対して、メール情報をキーワードとした画像ファイルの検索が可能となるため、画像ファイルとそれに対応するメールファイルの両方から必要なメール情報を抽出する処理が不要となり、検索に要する時間が短縮できる。
【図面の簡単な説明】
【００１２】
【図１】本発明の実施の形態における情報端末のハードウェア構成を示す図
【図２】本発明の実施の形態における情報端末のソフトウェア構成を示す図
【図３】本発明の実施の形態における添付ファイル管理テーブルの一例を示す図
【図４】本発明の実施の形態のおけるメール情報付き画像ファイルの一例を示す図
【図５】本発明の実施の形態における情報端末の動作の一例を示す図
【図６】本発明の実施の形態における情報端末の動作の一例を示す図
【図７】本発明の実施の形態における表示の一例を示す図
【図８】本発明の実施の形態における情報端末の動作の一例を示す図
【図９】本発明の実施の形態における情報端末の動作の一例を示す図
【発明を実施するための形態】
【００１３】
以下、本発明の実施の形態について、図面を参照しながら説明する。
【００１４】
図１は、本実施の形態における情報端末のハードウェア構成を示す図である。
【００１５】
情報端末１０は、プロセッサ（ＣＰＵ１）、ＲＯＭ２、ＲＡＭ３、通信制御部４、表示部５を備えている。
【００１６】
ＣＰＵ１は処理能力が十分であれば任意のものが利用可能である。
【００１７】
ＲＯＭ２は、ＮＯＲ型フラッシュメモリやＮＡＮＤ型フラッシュメモリなどの不揮発性メモリが利用可能である。ＣＰＵ１を起動するための制御プログラムの他、電子メールの送受信を実行するアプリケーションなどを含む各種プログラムが記憶されている。
【００１８】
ＲＡＭ３は、ＳＲＡＭ、ＤＲＡＭなどの揮発性メモリが利用可能である。また、ＦｅＲＡＭ、ＭＲＡＭなどの不揮発性メモリを利用することも可能である。ＲＡＭ３は、ＲＯＭ２と比較して、データの読み出し速度が高速であるといった特徴を有している。ＲＯＭ２に格納されている各種プログラムをＲＡＭ３上に展開してプログラムを実行する。
【００１９】
通信制御部４は、ネットワークを介して外部の端末との間でデータの通信制御を行うものである。
【００２０】
表示部５は、液晶ディスプレイ、有機ＥＬディスプレイなどで構成される。
【００２１】
図２は、本実施の形態における情報端末のソフトウェア構成を示す図である。
【００２２】
ＲＯＭ２には、プログラムコード２０と、画像保存領域２１と、添付ファイル管理テーブル２２が格納される。
【００２３】
プログラムコード２０はＯＳ、アプリケーション、ミドルウェア、デバイスドライバなど各種プログラムデータである。
【００２４】
画像保存領域２１は、情報端末１０で撮影した画像ファイルや、メールに添付された画像ファイルなどを保存する領域である。
【００２５】
添付ファイル管理テーブル２２は、メールに添付されてきた画像ファイルを管理するテーブルである。詳細は図３を用いて後述する。
【００２６】
ＲＡＭ３には、メール受信処理部３０と画像ファイル処理部３１が格納される。
【００２７】
メール受信処理部３０は、メール送受信手段３００と、画像ファイル抽出手段３０１と、メール情報記録手段３０２と、メール情報追記手段３０３を備える。
【００２８】
メール送受信手段３００は、通信制御部４を使用し、情報端末内の電子メールの受信処理や送信処理を実行する。
【００２９】
画像ファイル抽出手段３０１は、メール送受信手段３００で受信したメールに画像ファイルが添付されていた場合に、メールデータから画像ファイルを抽出する。
【００３０】
メール情報記録手段３０２は、画像ファイルが添付されていたメールに関するメール情報（メール受信日時、メール送信者、メール本文）を、画像ファイルのヘッダ情報内に記録し、メール情報付き画像ファイルを作成する。詳細は図４を用いて後述する。
【００３１】
メール情報追記手段３０３は、メール情報を画像ファイルに記録する際に、ユーザ入力によるメモ書きを、追加で画像ファイルのヘッダ情報に記録する。
【００３２】
画像ファイル処理部３１は、メール情報有無判断手段３１０と、ヘッダ情報解析手段３１１と、画像データ３１２と、メール情報３１３と、表示手段３１４と、メール情報削除手段３１５と、キーワード検索手段３１６とを備える。
【００３３】
メール情報有無判断手段３１０は、表示する画像ファイルが選択された際に、添付ファイル管理テーブル２２を参照し、選択された画像ファイル名が記載されているかどうかで、メールに添付された画像ファイルか否かを判断する。
【００３４】
ヘッダ情報解析手段３１１は、メール情報付き画像ファイルのヘッダ情報を解析し、画像データ３１２とメール情報３１３に分離する。
【００３５】
画像データ３１２は、ヘッダ情報からメール情報を削除した画像ファイルである。
【００３６】
メール情報３１３は、メール受信日時、メール送信者、メール本文、ユーザメモを含む。
【００３７】
表示手段３１４は、画像データ３１２とメール情報３１３を表示部５に表示する。
【００３８】
メール情報削除手段３１５は、メール情報付き画像ファイルを情報端末装置の外部に送信するもしくは記憶媒体等に保存する際に、ヘッダ情報解析手段３１１によって抽出したメール情報３１３を削除した画像ファイルを作成する。
【００３９】
キーワード検索手段３１６は、メール添付画像ファイルの中からユーザが入力したキーワードと一致するメール情報３１３を保持する該当ファイルを検索する。
【００４０】
図３は、添付ファイル管理テーブル２２の詳細について示している。メールに添付されてきた画像ファイルをファイルＩｎｄｅｘ３３０と画像ファイル名３３１で管理する。
【００４１】
図４は、メール情報付き画像ファイルの詳細について示している。
【００４２】
画像ファイルは画像データ部分とヘッダ部分に分かれており、ヘッダ情報内に、メール受信日時、メール送信者、メール本文、ユーザメモ情報が記録されている。
【００４３】
図５は、画像ファイルが添付されたメールを受信した時の動作を示している。
【００４４】
メール送受信手段３００にて画像ファイルが添付されたメールを受信する（Ｓ５−１）。画像ファイル抽出手段３０１にて受信したメールから画像ファイルを取得する（Ｓ５−２）。メール情報記録手段３０２にて、取得した画像ファイルのヘッダ情報にメール情報を記録し、メール情報付き画像ファイルを作成する（Ｓ５−３）。メール情報追記手段３０３にて、画像ファイルのヘッダ情報にユーザのメモ入力内容を追記する（Ｓ５−４）。添付ファイル管理テーブル２２に画像ファイル名３３１を記録し、テーブル内容を更新する（Ｓ５−５）。作成したメール情報付き画像ファイルを画像保存領域２１に保存する（Ｓ５−６）。
【００４５】
図６は、画像ファイルを選択し、画像データとメール情報を表示する時の動作を示している。
【００４６】
まず、画像保存領域２１から表示したい画像ファイルを選択する（Ｓ６−１）。そして、メール情報有無判断手段３１０にて添付ファイル管理テーブル２２を参照し、画像ファイル名が記載されているかどうかで、メールに添付された画像ファイルか否かを判断する（６−２）。メール情報付き画像ファイルでない場合は、画像データ３１２のみを表示部５に表示する（Ｓ６−３）。一方、メール情報付き画像ファイルの場合は、ヘッダ情報解析手段３１１にて、ヘッダ情報を解析し（Ｓ６−４）、画像データ３１２とメール情報３１３を取得する（Ｓ６−５）。そして、画像データ３１２とメール情報３１３を、表示手段３１４を使用して、それぞれ表示部５に表示する（Ｓ６−６）。
【００４７】
図７は、画像データ３１２とメール情報３１３の表示例について示している。
【００４８】
表示例１では、画像データ３１２上にメール情報３１３を噴き出し形式のような形で表示する例を示している。表示例２では、画像データ３１２とメール情報３１３をそれぞれ独立した領域に表示する例を示している。
【００４９】
以上の処理により、メール情報が画像ファイルに保存されることで、画像ファイルが添付されていたメール自体が削除された場合であっても、メール情報を画像データと共に表示することができる。
【００５０】
図８は、メール情報付き画像ファイルを情報端末外部に送信する時の動作を示している。
【００５１】
まず、情報端末１０の外部に送信する画像ファイルを選択する（Ｓ８−１）。そして、メール情報有無判断手段３１０にて添付ファイル管理テーブル２２を参照し、画像ファイルが記載されているかどうかで、メールに添付された画像ファイルか否かを判断する。（Ｓ８−２）。メール情報付き画像ファイルの場合は、ヘッダ情報解析手段３１１にて、ヘッダ情報を解析し（Ｓ８−３）、メール情報３１３を取得する（Ｓ８−４）。次に、メール情報削除手段３１５にて、画像ファイルのヘッダ情報からメール情報３１３を削除する（Ｓ８−５）。そして、メール情報３１３が削除された画像ファイルを外部へ送信する（Ｓ８−６）。一方、Ｓ８−２にて、メール情報付き画像ファイルでないと判定された場合は、該当画像ファイルをそのまま外部へ送信する（Ｓ８−６）。
【００５２】
図８に示す処理により、メール情報付き画像ファイルを情報端末の外部に送信する際に、メール情報の有無を識別することで、外部に送信したくないメール情報を削除して画像データのみを送信することが可能となる。
【００５３】
図９は、メール情報付き画像ファイルの中から、ユーザが入力したキーワードから該当ファイルを検索する時の動作を示している。
【００５４】
最初に、ユーザ操作で検索キーワードを入力する（Ｓ９−１）。そして、添付ファイル管理テーブル２２から検索対象となるファイルをテーブルの上位から１ファイル取得する（Ｓ９−２）。次に、ヘッダ情報解析手段３１１にて、ヘッダ情報を解析し、メール情報３１３を取得する。（Ｓ９−３）。そして、キーワード検索手段３１６にて、Ｓ９−３で取得したメール情報３１３と検索キーワードを比較する（Ｓ９−４）。検索キーワードがメール情報に該当する場合（Ｓ９−５）、該当するメール情報に対応した画像ファイルを表示手段３１４を使用して、表示部５に表示する（Ｓ９−６）。一方、検索キーワードにメール情報が該当しない場合（Ｓ９−５）、添付ファイル管理テーブル２２から次の検索対象ファイルを取得し（Ｓ９−２）、Ｓ９−５において検索キーワードがメール情報に該当するまで上記処理を繰り返す。
【００５５】
図９の処理により、情報端末に保存されたメール情報付き画像ファイルに対して、メール情報をキーワードとして画像ファイルを検索することが可能となるため、画像ファイルとそれに対応するメールファイルの両方から必要なメール情報を抽出する処理が不要となり、検索に要する時間が短縮できる。
【００５６】
本実施の形態により、メール情報が画像ファイルに保存されることで、画像ファイルが添付されていたメール自体が削除された場合であっても、メール送信者、メール受信日時、メール本文、メモ内容といったメール情報を画像データと共に表示することが可能となる。
【００５７】
なお、本実施の形態では、メールに添付されるファイルは画像ファイルであるとして説明したが、添付ファイルはドキュメントファイル、音楽データ等であっても構わない。
【産業上の利用可能性】
【００５８】
本発明にかかる情報端末は、各種の家電機器、車載機器、携帯電話を含む通信機器など組み込み機器で利用可能である。
【符号の説明】
【００５９】
１    ＣＰＵ
２    ＲＯＭ
３    ＲＡＭ
４    通信制御部
５    表示部
１０    情報端末
２０    プログラムコード
２１    画像保存領域
２２    添付ファイル管理テーブル
３０    メール受信処理部
３１    画像ファイル処理部
３００    メール送受信手段
３０１    画像ファイル抽出手段
３０２    メール情報記録手段
３０３    メール情報追記手段
３１０    メール情報有無判断手段
３１１    ヘッダ情報解析手段
３１２    画像データ
３１３    メール情報
３１４    表示手段
３１５    メール情報削除手段
３１６    キーワード検索手段
３３０    ファイルＩｎｄｅｘ
３３１    画像ファイル名
【図１】
2012194728.tif 000003
【図２】
2012194728.tif 000004
【図３】
2012194728.tif 000005
【図４】
2012194728.tif 000006
【図５】
2012194728.tif 000007
【図６】
2012194728.tif 000008
【図７】
2012194728.tif 000009
【図８】
2012194728.tif 000010
【図９】
2012194728.tif 000011